(57)【要約】【課題】放射状に配置された複数の針チャネルを有する毛髪移植機を提供することにある。【解決手段】毛髪移植機は、中央シャフト及び前記中央シャフトの外周面に上下方向に摺動自在にそれぞれ結合された複数の針チャネルを備える針チャネルバンドル（Ｂ）と、前記針チャネルバンドルを一針チャネル分だけ所定の角度回転させるチャネル回転手段と、前記針チャネルバンドルの上部に配置され、予め設定された所定位置の１つの針チャネルを下方にプッシュするとを含み、それぞれの針チャネルは、管状の内部空間を有するボディ部、前記ボディ部の下端部に結合された針、及び前記管状の内部空間と針の内部にて摺動自在に配置される心軸を含み、前記複数の針チャネルが前記中央シャフトの外周面でこの中央シャフトの中心軸を基準にして放射状の等間隔に配置される。【選択図】図３
2019126715.tif 000002
【特許請求の範囲】
【請求項１】
毛髪移植機において、
中央シャフト及び前記中央シャフトの外周面に上下方向に摺動自在にそれぞれ結合された複数の針チャネルを備える針チャネルバンドル（Ｂ）と、
前記針チャネルバンドルを一針チャネル分だけ所定の角度回転させるチャネル回転手段と、
前記針チャネルバンドルの上部に配置され、予め設定された所定位置の１つの針チャネルを下方にプッシュするプッシュバーと、
を含み、
それぞれの針チャネルは、管状の内部空間を有するボディ部、前記ボディ部の下端部に結合された針、及び前記管状の内部空間と針内部で摺動自在に配置される心軸を含み、
前記複数の針チャネルが前記中央シャフトの外周面でこの中央シャフトの中心軸を基準にして放射状に、かつ等間隔に配置されることを特徴とする毛髪移植機。
【請求項２】
前記針チャネルが、
前記中央シャフトの中心軸を基準にして放射状の外側方向に前記ボディ部に形成されたスロットと、
心軸の上段に結合し、前記スロットに沿って上下方向に摺動自在なレバーと、
前記心軸の周りに嵌め込まれ、上端部は前記レバーに支持され、下端部は前記スロットの底面に支持される第１ばねと、
を含む、請求項１に記載の毛髪移植機。
【請求項３】
前記針チャネルが前記スロットの上部に取り付けられた上部蓋をさらに含み、
前記上部蓋の上部表面が針チャネルバンドルの回転方向に所定の傾斜角だけ傾いた傾斜面から形成される、請求項２に記載の毛髪移植機。
【請求項４】
前記プッシュバーによって下方にプッシュされる針チャネルの放射状の外側面に配置され、前記プッシュされた針チャネルが上方に上昇する間に、前記針チャネル内の心軸の動きを一時的に停止させる心軸係止部をさらに含む、請求項２に記載の毛髪移植機。
【請求項５】
前記針チャネルのスロットの側面に放射状の外側方向に突出した突起部が形成され、
前記心軸係止部が、前記レバー及び前記突起部の上下の動きに干渉する距離内に配置され、前記放射状の外側方向に弾性的に後退できるよう構成されたラッチを含むことを特徴とする、請求項４に記載の毛髪移植機。
【請求項６】
前記針チャネルが、前記ボディ部の前記放射状の外側方向に形成された係止突出部１２１１、及び、前記係止突出部の下端部に、一方向にのみ傾斜角を有する鋸歯型のラチェットギア歯をさらに含み、
前記チャネル回転手段は、前記針チャネルのボディ部のうち、前記係止突出部の下方のボディ部の外周面に接しながら、前記針チャネルバンドルを取り囲む円筒状の昇降ギアホルダ、及び前記昇降ギアホルダの外周面に接しながら、前記針チャネルバンドルを取り囲む円筒状のラチェット支えホルダを含み、
前記昇降ギアホルダの上部面に、前記針チャネルバンドルに備えられたラチェットギア歯の数と同一の数で、連続的にくさび型突出部が形成され、
前記ラチェット支えホルダの上部面には、ラチェットギア歯と噛み合うよう傾斜角を有する鋸歯型のラチェットギア凹部が形成され、
前記くさび型突出部のそれぞれの最上端部が、前記ラチェットギア凹部の最上端の、端部と端部との間に位置するよう配置されたことを特徴とする、請求項２に記載の毛髪移植機。
【請求項７】
外力が作用しないとき、針チャネルバンのラチェットギア歯が前記ラチェット支えホルダのラチェットギア凹部にそれぞれ載置して支持され、前記昇降ギアホルダは、前記ラチェット支えホルダよりも下方に位置し、
前記くさび型突出部が前記ラチェットギア凹部よりも高くなるまで昇降ギアホルダが上昇すれば、前記ラチェットギア歯が前記くさび型突出部の傾斜面に沿って摺動下降しながら前記針チャネルバンドルが所定の角度回転し、
前記くさび型突出部が前記ラチェットギア凹部よりも低くなるまで昇降ギアホルダが下降すれば、前記ラチェットギア歯が前記ラチェットギア凹部の傾斜面に沿って摺動下降しながら前記針チャネルバンドルが所定の角度回転することにより、
昇降ギアホルダの上昇及び下降動作によって、前記針チャネルバンドルが一チャネル分だけ回転することを特徴とする、請求項６に記載の毛髪移植機。
【請求項８】
前記針チャネルは、前記ボディ部の放射状の外側に向かう表面にて前記係止突出部の下方に形成された係止凹部をさらに含み、
前記毛髪移植機は、前記昇降ギアホルダの側面に結合された針チャネル係止部をさらに含み、
前記針チャネル係止部は、前記針チャネルの係止凹部に係止可能なラッチ、このラッチを収容するラッチ収容部、及び前記ラッチとラッチ収容部との間に介在された弾性部材を含み、
針チャネルが前記針チャネル係止部に係止すれば、前記針チャネルが前記昇降ギアホルダの上下の動きに追従して共に動くように構成され、
前記針チャネルの係止凹部の下方の段差部が直角に形成され、左側及び上側の段差部が面取り処理されて傾斜面をなすように形成され、前記係止凹部の各段差部に接触する前記ラッチ端部の４つの稜部のうち、下方の稜部は直角に形成され、左側及び上側の稜部は傾斜面に形成されることを特徴とする、請求項６に記載の毛髪移植機。
【請求項９】
前記昇降ギアホルダと連結され、毛髪移植機のケースの外周面を少なくとも部分的に取り囲む手動操作用取っ手と、
前記手動操作用取っ手の側面に形成されたばね収容部と、
前記ばね収容部に挿入されたばねと、
をさらに含み、
前記ばねの上端部は前記ばね収容部の上部に固定され、下端部は前記毛髪移植機のケースに固定されることを特徴とする、請求項６に記載の毛髪移植機。
【請求項１０】
前記針チャネルバンドルが、
前記針チャネルバンドルに結合された複数の針チャネルそれぞれの針が１つずつ貫通できる複数の貫通口が形成された針チャネル支持板と、
各針チャネルの針の周りに嵌め込まれ、上端部は針チャネルのボディ部の下部面に支持され、下端部は前記針チャネル支持板の上部面に支持される第２ばねと、
を含むことを特徴とする、請求項２に記載の毛髪移植機。
【請求項１１】
前記針チャネルの上端部に上下方向に係止する第１係止部が形成され、
前記第１係止部に噛み合って係止するように、前記プッシュバーの下端部に上下方向に係止する第２係止部が形成され、
前記針チャネルバンドルの回転によって１つの針チャネルが前記プッシュバーと同じ垂直線上に位置すれば、前記第１係止部と第２係止部の係止動作によって、前記プッシュバーと前記針チャネルが係止することで、前記プッシュバーと前記針チャネルが一体に上下方向に動くよう構成されることを特徴とする、請求項２に記載の毛髪移植機。
【請求項１２】
前記チャネル回転手段は、前記中央シャフトの上部に配置された第１駆動モータを含み、
前記駆動モータの駆動軸が前記中央シャフトに結合され、前記第１駆動モータの駆動によって針チャネルバンドルが所定の角度ずつ回転自在に構成されることを特徴とする、請求項２に記載の毛髪移植機。
【請求項１３】
前記中央シャフトの上端部に形成され、針チャネルの垂直上方向の位置ごとに凹溝部が形成される上部表面を有するフランジと、
前記中央シャフトの上部に配置されたボールプランジャーと、
をさらに含み、
前記ボールプランジャーは、下方に向かって一部が突出した少なくとも１つのボール、及び前記ボールプランジャーの内部に配置されて前記ボールを弾性的に支持する弾性部材を含み、
前記ボールプランジャーのボールが前記フランジの上部表面を弾性的に加圧するように、前記ボールプランジャーが前記中央シャフトの上部に配置されることを特徴とする、請求項１２に記載の毛髪移植機。
【請求項１４】
前記針チャネルバンドルとチャネル回転手段を収容する第１ケース、及び前記第１ケースの下部に結合された下部キャップを含む下部モジュールと、
前記プッシュバーと前記プッシュバーを駆動するプッシュバー駆動部を収容する第２ケース、及び、第２ケースの上部と下部にそれぞれ結合された上部キャップとブラケットを含み、前記下部モジュールの上部に脱着自在に結合される上部モジュールと、
を含むことを特徴とする、請求項１に記載の毛髪移植機。
【請求項１５】
前記ブラケットの側面にヒンジ結合され、一端部に係合突起が形成されたレバーと、
前記第１ケースの側面に形成され、前記レバーの係合突起と噛み合う係合凹部と、
をさらに含み、
前記レバーに力が加圧されなければ、前記係合突起が前記係合凹部に嵌め込まれ、レバーに力を加圧すれば、係合突起が係合凹部から抜け出るよう構成されることを特徴とする、請求項１４に記載の毛髪移植機。
【発明の詳細な説明】
【技術分野】
【０００１】
本発明は、毛髪移植機に関し、より詳しくは、毛髪移植用の針（移植針）を束状に複数装着した束状の毛髪移植機に関する。
【背景技術】
【０００２】
毛髪移植機（植毛機）は、頭皮の発毛領域から毛髪を採取し、これを脱毛された他の不毛領域の頭皮（不毛患者）に植えて移植する、毛髪施術法に用いられる医療装備である。
【０００３】
従来における毛髪移植機は、針（移植針）と、針の内部に摺動自在に挿入された心軸から構成され、数多い毛髪を移植するために、一単位の、針（針管）と心軸とを含んで構成された針チャネルを、複数装着した束状の毛髪移植装置が開発された。
【０００４】
しかし、このような束状の毛髪移植装置は、針チャネルを動作させるために数個の駆動モータと複雑な構造を有する。すなわち、毛髪移植のために針チャネルを回転させて１つの針チャネルを頭皮に押込み、針内部の心軸を復帰させるといった動作をそれぞれ独立に行うために、少なくとも３つのモータを備えなければならず、これを実現するための装置構造が複雑になるという問題があった。
【発明の概要】
【発明が解決しようとする課題】
【０００５】
本発明の一実施形態によれば、複数の針チャネルを回転体の外周面に取り付けることによって、従来に比べて、より多くの針チャネルを装着した針チャネルバンドルを備えた毛髪移植機を提供することにある。
【０００６】
本発明の一実施形態によれば、心軸の復帰動作を別途の駆動装置ではなく、機械的な構造で解決することにより、従来に比べて部品コスト及び装置の複雑性を減らし得る毛髪移植機を提供することにある。
【０００７】
本発明の一実施形態によれば、針チャネルの回転及び針チャネルの吐出と復帰の動作を駆動モータなしで機械的な装置のみで行うことのできる毛髪移植機を提供することにある。
【課題を解決するための手段】
【０００８】
本発明の一実施形態によれば、毛髪移植機において、中央シャフト及び前記中央シャフトの外周面に上下方向に摺動自在にそれぞれ結合された複数の針チャネルを備える針チャネルバンドルと、前記針チャネルバンドルを一つの針チャネルの分だけ所定の角度回転させるチャネル回転手段と、前記針チャネルバンドルの上部に配置され、予め設定された所定位置の１つの針チャネルを下方にプッシュするプッシュバーとを含み、各針チャネルは、管状の内部空間を有するボディ部、前記ボディ部の下端部に結合された針（針管）、及び前記管状の内部空間に摺動自在に配置される心軸を含み、前記複数の針チャネルが、前記中央シャフトの外周面に、この中央シャフトの中心軸を基準にして放射状に、かつ等間隔に配置されることを特徴とする毛髪移植機を提供する。
【発明の効果】
【０００９】
本発明の一実施形態によれば、複数の針チャネルを、回転体の外周面に放射状に取り付けて針チャネルバンドルを形成することで、従来に比べてより多くの針チャネルを装着できるという技術的な効果を有する。
【００１０】
本発明の一実施形態によれば、機械的構造でもって心軸を復元できるように構成され、心軸復帰のための別途の駆動手段を必要としないため、装置構造の複雑性を減らし、部品のコストも節減できるという効果を有する。
【００１１】
また、本発明の一実施形態によれば、針チャネルの回転及び針チャネルの吐出と復帰の動作を、駆動モータなしで機械的な装置のみで行うことのできる毛髪移植機を提供する。
【図面の簡単な説明】
【００１２】
【図１】本発明の第１実施形態に係る毛髪移植機の斜視図である。
【図２】一実施形態に係る毛髪移植機の軸方向の断面図である。
【図３】一実施形態に係る毛髪移植機の分解斜視図である。
【図４】一実施形態に係る針チャネルバンドルを説明するための図である。
【図５】一実施形態に係る針チャネルの斜視図及び断面図である。
【図６】一実施形態に係る針チャネルの分解斜視図である。
【図７】一実施形態に係る針と心軸についての下部の構造を説明するための部分側面図及び部分断面図である。
【図８】一実施形態にしたがい、中央シャフトの周辺に、複数の針チャネルが結合される構造を説明するための一連の断面図である。
【図９】針チャネルの上部に結合される上部蓋を説明する図である。
【図１０】一実施形態に係る心軸係止部を説明するための図である。
【図１１】一実施形態に係る心軸の係止及び係止解除の動作を説明するための図である。
【図１２】一実施形態に係る毛髪移植機の一部の構成要素を説明するための分解斜視図である。
【図１３】一実施形態に係る針チャネル係止部を説明する図である。
【図１４】一実施形態に係る針チャネル係止部を説明する図である。
【図１５】一実施形態に係る針チャネルを回転させる動作を説明する図である。
【図１６】一実施形態に係る手動操作用取っ手を説明する図である。
【図１７】一実施形態に係る手動操作用取っ手が装着された毛髪移植機の一部の一側断面図である。
【図１８】一実施形態に係る手動操作用取っ手が装着された毛髪移植機の一部の他側断面図である。
【図１９】本発明の第２実施形態に係る毛髪移植機の斜視図である。
【図２０】一実施形態に係る毛髪移植機の断面図である。
【図２１】一実施形態に係る毛髪移植機の分解斜視図である。
【図２２】一実施形態に係る針チャネルバンドルを説明するための図である。
【図２３】一実施形態に係る針チャネルの斜視図及び断面図である。
【図２４】一実施形態に係る針チャネルの分解斜視図である。
【図２５】一実施形態に係る毛髪移植機の一部の構成要素の分解斜視図である。
【図２６】一実施形態に係るボールプランジャー支持部を説明するための図である。
【図２７】一実施形態に係る心軸係止部の断面図である。
【図２８】一実施形態に係る心軸係止部の分解斜視図である。
【図２９】代案的な実施形態に係るプッシュバー及び針チャネルを説明する図である。
【発明を実施するための形態】
【００１３】
以上の本発明の目的、他の目的、特徴、及び利点は、添付の図面に関する以下の好適な実施形態によって容易に理解されるのであろう。しかし、本発明は、ここで説明される実施形態に限定されることなく、別の形態に具体化されてもよい。以下で説明される実施形態は、当業者に本発明の思想を十分に伝達可能にするために提供される例示的な実施形態である。
【００１４】
本明細書において、ある構成要素が他の構成要素の「上」（又は「下」、「右側」又は、「左側」）にあると言及される場合、それは他の構成要素の上（又は下、右側、又は左側）に直接位置することであるか、又はその間に第３の構成要素が介在し得ることも意味する。また、図面で構成要素の長さ又は厚さは、技術的な内容の効果的な説明のために誇張されたものであってもよい。
【００１５】
また、本明細書において、構成要素の間の位置関係を説明するために用いられる「上部」、「下部」、「左側」、「右側」、「前面」、「後面」などの表現は、絶対的な基準としての方向や位置を意味するものではなく、各図面を参照して本発明を説明するとき該当の図面を基準にして説明の便宜のために用いられる相対的な表現である。
【００１６】
本明細書において、第１、第２などの用語が構成要素を記述するために使用された場合、その構成要素がこのような用語によって限定されることはない。この用語は、単に、いずれかの構成要素を他の構成要素と区別するために使用されたものに過ぎない。ここで説明かつ例示される実施形態は、その相補的な実施形態も含む。
【００１７】
本明細書において、単数型は特に言及されない限り複数型を含む。明細書で用いられる「含む（ｃｏｍｐｒｉｓｅ）及び／又は（ｃｏｍｐｒｉｓｉｎｇ）」は、言及された構成要素は１つ以上の異なる構成要素の存在又は追加を排除しない。
【００１８】
以下、図面を参照して本発明を詳細に説明する。以下、特定の実施形態を記述することにおいて、様々の特的な内容は、発明をさらに具体的に説明して理解を助けるために作成されたものである。しかし、本発明を理解できる程の本分野での知識を有する者であれば、様々な特定的な内容がなくても使用できることを認知し得る。一部の例として、発明の記述において、周知の発明と大きく関連のない部分は、本発明の説明において混沌を防ぐために記述しないことを予め言及しておく。
【００１９】
＜第１実施形態の毛髪移植機＞
図１は、第１実施形態に係る毛髪移植機の斜視図であり、図２は、毛髪移植機の断面図である。そして、図３は、分解斜視図である。
【００２０】
図面を参照すると、第１実施形態に係る毛髪移植機は、ケース１０、及び、ケース１０の下部及び上部にそれぞれ結合された下部キャップ２０及び上部キャップ３０から構成される。
【００２１】
ケース１０の内部には、針チャネル１２００がバンドル状に複数結合された針チャネルバンドルが回転自在に配置されている。針チャネルバンドルは、中央シャフト１１００、及び、その外周面に、放射状に等間隔に配列された複数の針チャネル１２００から構成される。
【００２２】
針チャネルバンドルの外周縁には、針チャネルバンドルを、一チャネル分だけ、所定の角度回転させるチャネル回転手段が配置されている。図示する実施形態において、チャネル回転手段は、針チャネルバンドルの外周面を取り囲む円筒状の昇降ギアホルダ１４００、及び、昇降ギアホルダ１４００の外周面を取り囲む円筒状のラチェット（ｒａｔｃｈｅｔ）支えホルダ１３００を含んでもよい。
【００２３】
ラチェット支えホルダ１３００は、ケース１０の内部に取り付けて固定されている。昇降ギアホルダ１４００は上下方向に摺動しうる。一実施形態において、昇降ギアホルダ１４００が上昇及び下降する動作を１回行うたびに、針チャネルバンドルを所定の角度ずつ回転させ得る。例えば、昇降ギアホルダ１４００の１回の上昇／下降の動作によって、針チャネルバンドルを１つの針チャネル分の間隔（インターバル）だけ回転させ得る。チャネル回転手段の具体的な構成及び動作について、図１２〜図１５を参照して後述することにする。
【００２４】
ケース１０の側面には心軸係止部１７００が配置される。心軸係止部１７００は、針チャネル１２００の内部に摺動自在に配置された心軸（図５に示す１２３０）を係止して心軸が一時的に動かないようにする機能を果たす。
【００２５】
ケース１０の下端部には、下部キャップ２０が脱着自在に結合され、ケース１０の下端部をカバーする。下部キャップ２０の下部面には、１つの針チャネル１２００が通過できるノズル２１が形成され、１つの針チャネル１２００がノズル２１を通じて所定の長さだけ下方に突出しうる。
【００２６】
毛髪移植機は、針チャネルバンドルの１つの針チャネルを下方にプッシュするプッシュバー１５３０を含む。プッシュバー１５３０は、ケース１０内で、針チャネルバンドルの上部と、上部キャップ３０との間に配置される。プッシュバー１５３０が針チャネル１２００を下方にプッシュすれば、プッシュされた針チャネル１２００は、ノズル２１を通じて所定の長さだけ突出される。
【００２７】
図４は、一実施形態に係る針チャネルバンドルを説明するための図である。図面を参照すると、針チャネルバンドル（Ｂ）は、中央シャフト１１００、及び、中央シャフト１１００の外周面に、上下方向に摺動自在にそれぞれ結合された複数の針チャネル１２００から構成される。
【００２８】
中央シャフト１１００の外周面に、この中央シャフトの中心軸を基準にして放射状に、かつ等間隔に、複数の摺動レール１１１０が形成されている。一実施形態において、摺動レール１１１０は、上下の長手方向に長く延びるように陰刻されて形成されている。
【００２９】
中央シャフト１１００の上端部には、針チャネル１２００が、これ以上、上側に動かないように中央シャフト１１００の直径よりも大きいヘッド部材１５１０が、ボルトにより固定される。ヘッド部材１５１０は、中央シャフト１１００と一体に形成されてもよく、別々に製造された後に結合されてもよい。
【００３０】
ヘッド部材１５１０と上部キャップ３０との間には、ばね１５２０が介在され、ばね１５２０は、針チャネルバンドル（Ｂ）を、下方に向かって弾性的に、支持し得る。
【００３１】
図５及び図６は、一実施形態に係る針チャネル１２００を示す図であって、図５の（ａ）は針チャネル１２００の斜視図、（ｂ）は断面図であり、図６は、分解斜視図である。
【００３２】
図面を参照すると、針チャネル１２００は、管状の内部空間を有するボディ部１２１０、このボディ部１２１０の下部に結合された針１２２０、及び前記管状の内部空間に摺動自在に配置される心軸１２３０から構成される。
【００３３】
ボディ部１２１０の管状の内部空間は、直径が相対的に大きい上部の第１直径部１２１０ａ、及び、直径が相対的に小さい下部の第２直径部１２１０ｂからなる。下部の第２直径部１２１０ｂは、心軸１２３０が通過できるほどの直径を有し、上部の第１直径部１２１０ａは、心軸１２３０の周縁に嵌められるばね１２４１を収容できるほどの直径を有する。毛根移植用針１２２０は、ボディ部１２１０の第２直径部１２１０ｂの開放された下端部を通じて、ボディ部１２１０に挿入結合されている。
【００３４】
図７は、一実施形態に係る針１２２０の下端部の構造を示す。図７（ａ）は、針チャネルバンドル（Ｂ）についての放射状の外側から中心軸に向かって観測したときの形状であり、（ｂ）は側面から観測した断面図である。
【００３５】
図面から確認されるように、針１２２０の下端部の側面には、毛嚢を容易に嵌め込めるように外側へと開放されたスロットホール１２２１が形成されている。針１２２０の内部空間に心軸１２３０が挿入配置されるのであるが、心軸１２３０の下端部は、スロットホール１２２１の最上端よりも下方にあり、かつ、針１２２０の最下端部の下方には突出しないように配置される。このスロットホール１２２１は、針チャネルバンドル（Ｂ）における放射状の外側に向いている側に形成されており、したがって、施術者の毛嚢装着作業に便宜を提供し得る。
【００３６】
ボディ部１２１０は、一側面に沿って上下の長手方向に形成された側面突出部１２１３を含む。側面突出部１２１３は、中央シャフト１１００に向かう方向、すなわち、放射状の内側方向に突出し、側面突出部１２１３の突出部の形状は、中央シャフト１１００の摺動レール１１１０の凹溝部の形状と噛み合うように構成される。したがって、ボディ部１２１０の側面突出部１２１３が、中央シャフト１１００の摺動レール１１１０に嵌め込まれて噛み合わされることにより、針チャネル１２００が摺動レール１１１０に沿って上下方向に摺動し得る。
【００３７】
これに関して、図８は、針チャネルバンドル（Ｂ）のほぼ中間の高さの断面を概略的に示す。中央シャフト１１００の外周面に沿って摺動レール１１１０が形成されており、針チャネル１２００の側面突出部１２１３が、この摺動レール１１１０にそれぞれ１つずつ嵌め込まれることにより、中央シャフト１１００の外周面の全周にわたって、針チャネル１２００が、放射状に、均等に区画配置されるようにして中央シャフト１１００に結合される。
【００３８】
このように本発明の実施形態によれば、針チャネル１２００を中央シャフト１１００の内側ではなく外周面に取り付けることから、従来に比べて多くの針チャネルを取り付けることができる。すなわち、従来の毛髪移植機は、中央シャフトがリボルバー（revolver）式拳銃におけるシリンダー形の弾倉の形態と類似した形態に構成されて、中央シャフトの内側の空間に針チャネルを入れたのであるが、本発明の実施形態によれば、中央シャフトの外周面に沿って針チャネルを取り付けることから、ケース１０の直径が同一である場合、同じ空間に、従来に比べて、より多くの針チャネルを結合することができる。
【００３９】
再び図５及び図６を参照すれば、針チャネル１２００は、ボディ部１２１０の側面突出部１２１３とは反対の方向、すなわち、針チャネルバンドル（Ｂ）の放射状の外側方向に、ボディ部１２１０から延長形成された係止突出部１２１１を含む。係止突出部１２１１は、上下方向に延びるように形成されたスロット１２１５、係止突出部１２１１の外側の表面から、放射状の外側方向へとさらに突出するように延長形成された突起部１２１７、及び、係止突出部１２１１の下端部に形成され放射方向から見て左右の一方にのみ傾斜角を有する鋸歯型のラチェットギア歯１２１２を含む。
【００４０】
スロット１２１５は、係止突出部１２１１における放射方向外側の表面に、上下方向に延びるように形成され、ボディ部１２１０の管状の内部空間と連通する。管状の内部空間には心軸１２３０が配置され、心軸１２３０の上端部に、レバー１２３１が結合されている。レバー１２３１は、スロット１２１５によってガイドされて上下方向に摺動できる。心軸１２３０の周りに、ばね１２４１が嵌められている。ばね１２４１の上端部はレバー１２３１の下部面に支持され、ばね１２４１の下端部は、ボディ部１２１０内の第１直径部１２１０ａと第２直径部１２１０ｂとの間の段差部に支持される。
【００４１】
スロット１２１５の上端部は開放されており、この開放された上端部に、上部蓋１２５０が嵌められて結合されてもよい。上部蓋１２５０は、レバー１２３１が上方にこれ以上上昇しないようにするストッパの役割を果たす。図９に示すように、上部蓋１２５０の上面は、針チャネルバンドル（Ｂ）が円滑に回転できるように、放射方向から見て左右の一方に傾斜している表面を有する。すなわち、上部蓋１２５０の上部表面に接しているプッシュバー１５３０（図２〜３）によって針チャネルバンドル（Ｂ）の回転が妨害されないように、上部蓋１２５０の表面１２５１が、針チャネルバンドルの回転方向に所定の傾斜角１２５３だけ傾いた傾斜面として形成される。
【００４２】
針チャネル１２００のボディ部１２１０は、係止凹部１２１９をさらに含む。係止凹部１２１９は、ボディ部１２１０における放射方向外側に向いている表面にて、係止突出部１２１１の下方に形成される。係止凹部１２１９は、針チャネル係止部１９００のラッチ１９１０を収容し得る。係止凹部１２１９の具体的な形状及び機能については、図１３及び図１４を参照して後述することにする。
【００４３】
一方、図２及び図３に示すように、毛髪移植機は、針チャネルバンドルの１つの針チャネル１２００を下方にプッシュするプッシュバー１５３０を含む。プッシュバー１５３０は、ばね１５４０などの弾性部材によって、上部キャップ３０に弾性的に結合され、針チャネルバンドル（Ｂ）の１つの針チャネル１２００を、上方から下方に押すよう配置される。プッシュバー１５３０とノズル２１は、同じ垂直線上に整列して配置されており、したがって、プッシュバー１５３０が針チャネル１２００を下方にプッシュすれば、プッシュされた針チャネル１２００がノズル２１を通して所定の長さだけ突出される。
【００４４】
図１０は、一実施形態に係る心軸係止部１７００を示す。心軸係止部１７００は、前記プッシュバー１５３０によって下方にプッシュされる針チャネルにおける、前記放射状の外側の面に配置される。図示する一実施形態において、心軸係止部１７００は、ケース１０の前後方向の一方の側に設けられる。心軸係止部１７００は、針チャネル１２００がプッシュバー１５３０によって下方にプッシュされた後、再び上昇する間に、針チャネル１２００内の心軸１２３０の動きを一時的に停止させる機能を果たす。
【００４５】
図面を参照すると、心軸係止部１７００は、ラッチ１７１０、ラッチ１７１０を収容するラッチ収容部１７２０、及びラッチ１７１０とラッチ収容部１７２０との間に介在した弾性部材１７３０から構成される。
【００４６】
ラッチ１７１０は、レバー１２３１の上下の動きを干渉する距離内に配置され、針チャネルバンドル（Ｂ）の放射状の外側の方向に弾性的に後退できるように構成される。
【００４７】
ラッチ収容部１７２０は、例えば、左右両側面の延長領域１７２３のボルト孔１７２３を介してケース１０の前後方向の一方の側にボルト結合して固定されてもよい。ここで、ラッチ収容部１７２０のボルト孔１７２３を長方形の形態にしてラッチ１７１０の位置を調整可能にしてもよい。ラッチの位置は、毛嚢の挿入作業時に、ノズル２１の外側に突出される心軸１２３０の長さを決定し、植毛される毛嚢の深さに影響を及ぼす。ラッチ収容部１７２０は、内部にラッチ１７１０が入ることができる空間を有しており、この空間に、ばねといった弾性部材１７３０が介在される。そのため、ラッチ１７１０は、レバー１２３１の上下の動きを干渉する距離内に配置され、針チャネルバンドル（Ｂ）の放射状の外側の方向に、弾性的に後退できるように構成される。
【００４８】
ラッチ１７１０に力が加えられないとき、ラッチ１７１０は、ラッチ収容部１７２０から（針チャネルバンドル（Ｂ）の放射状の内側方向に）突き出ており、レバー１２３１が上下に摺動運動するときに、レバー１２３１と接することになる。ここで、図１０（ａ）に示すように、レバー１２３１と接する、ラッチ１７１０の上側の接触面は根元側（後方）へと向かって上方に傾斜され、下方のレバー接触面１７１１は、ほぼ水平に形成されている。したがって、レバー１２３１がラッチ１７１０の上方から下方に下降するときは、レバー１２３１がラッチ１７１０をラッチ収容部１７２０の側に押しながら下降できるのであるが、レバー１２３１がラッチ１７１０の下方から上方に上昇するときは、レバー１２３１の上面がラッチ１７１０のレバー接触面１７１１に接して係止されるため、レバー１２３１がこれ以上、上昇できなくなる。
【００４９】
一方、針チャネル１２００のスロット１２１５の側面には、針チャネルバンドル（Ｂ）の放射状の外側方向に突出した突起部１２１７が形成されている。この突起部１２１７は、前記放射状の外側の方向に、レバー１２３１と同一であるか、レバー１２３１よりも少し外側にまで突出されている。また、ラッチ１７１０は、レバー１２３１のみならず、突起部１２１７の上下の動きとも干渉するように、ラッチ１７１０の左右の幅が設定されており、図１１に示すように、突起部１２１７と接触するラッチ１７１０の接触面の上側は、根元側へと（後方）へと向かって上方に傾斜し、下方の突起部接触面１７１３も、根元側へと（後方）へと向かって下方に傾斜するように形成される。したがって、針チャネル１２００が、ラッチ１７１０の下方から上方に上昇したり、上方から下方に下降するいずれの場合であっても、突起部１２１７がラッチ１７１０を、ラッチ収容部１７２０側に押しながら上昇／下降することができる。
【００５０】
上述した構成を有する心軸係止部１７００による心軸１２３０の係止及び係止解除動作について、図１１を参照して説明する。
【００５１】
図１１（ａ）は、針チャネルバンドル（Ｂ）に取り付けられた針チャネル１２００が下方に下降する前の状態を示す。この状態において、針チャネル１２００のレバー１２３１と突起部１２１７は、全て、心軸係止部１７００のラッチ１７１０よりも上側に位置している。
【００５２】
プッシュバー１５３０が針チャネル１２００を下方にプッシュすれば、針チャネル１２００が下方に下降する。針チャネル１２００が下降するとき、突起部１２１７とレバー１２３１が、ラッチ１７１０の傾斜した表面と接しているため、ラッチ１７１０をラッチ収容部１７２０側に押しながら、針チャネル１２００とレバー１２３１が下降し得る。
【００５３】
その後、図１１（ｂ）に示すように、レバー１２３１がラッチ１７１０よりも下方に下降すれば、レバー１２３１の上部面がラッチ１７１０のレバー接触面１７１１に接しながらレバー１２３１がラッチ１７１０に係止することになる。
【００５４】
したがって、図１１（ｃ）に示すように、針チャネル１２００が上昇するとき、レバー１２３１がラッチ１７１０に掛け止めされているため、レバー１２３１及びこれに一体に結合された心軸１２３０が上昇できない。
【００５５】
その後、針チャネル１２００がさらに上昇すれば、図１１（ｄ）に示すように、突起部１２１７が、ラッチ１７１０と接することで、ラッチ１７１０をラッチ収容部１７２０側に押す。したがって、ラッチ１７１０がラッチ収容部１７２０側に後退することによって、レバー１２３１に対するラッチの係止が解除され、レバー１２３１と心軸１２３０は、ばね１２４１の弾性力によって上昇し、図１１（ａ）に示すような状態に戻る。
【００５６】
このような本発明の一実施形態によれば、心軸１２３０の復帰を、新規の機械的な構造により解決した。従来には、心軸１２３０の復帰のために駆動モータといった別個の駆動手段が必要とされたが、本発明によれば、心軸１２３０の復帰のための駆動モータが求められないため、従来に比べて部品コスト及び装置の複雑性を大幅に減らすといった技術的な効果を達成することができる。
【００５７】
以下、針チャネルバンドルを回転させるチャネル回転手段について説明する。図２、図３、及び図１２を参照すると、一実施形態に係る毛髪移植機は、針チャネルバンドルの外周面を取り囲む円筒状の昇降ギアホルダ１４００、及びこの昇降ギアホルダ１４００の外周面を取り囲む円筒状のラチェット支えホルダ１３００を含む。
【００５８】
昇降ギアホルダ１４００は、ほぼ円筒状の部材であり、針チャネルバンドル（Ｂ）の外周面を取り囲むように配置される。円筒状の昇降ギアホルダ１４００の上端部の表面は、針チャネル１２００の係止突出部１２１１の下端部の表面、すなわち、ラチェットギア歯１２１２の下部表面と接触できるように形成される。すなわち、昇降ギアホルダ１４００の上部面には、とがった形態のくさび型突出部１４１０が連続的に形成され、くさび型突出部１４１０は、針チャネルバンドル（Ｂ）のラチェットギア歯１２１２と噛み合うように、ラチェットギア歯１２１２の数と同じ数に形成されている。
【００５９】
ラチェット支えホルダ１３００は、ほぼ円筒状の部材であり、昇降ギアホルダ１４００の外周面に接しながら針チャネルバンドルを取り囲むように配置される。ラチェット支えホルダ１３００の上端部の表面も、針チャネル１２００の係止突出部１２１１のラチェッギア歯１２１２の下部表面と接触できるように構成される。すなわち、ラチェット支えホルダ１３００の上部面には、ラチェットギア歯１２１２と噛み合うように、放射方向から見て左右の一方向への傾斜角を有する、鋸歯型のラチェットギア凹部１３１０が形成されている。
【００６０】
ラチェット支えホルダ１３００は、ケース１０の内部に取り付けられて固定されている。一方、昇降ギアホルダ１４００は、上下方向に摺動移動しうる。一実施形態において、昇降ギアホルダ１４００の外周面に、少なくとも１つの連結突片１４３０が形成され、この連結突片１４３０は、例えば、手動操作用取っ手１８００と結合している。
【００６１】
手動操作用取っ手１８００は、ケース１０の外周面を少なくとも部分的に取り囲む形状を有し、ケース１０の外周面に沿って上下方向に摺動移動できるように配置される。すなわち、ケース１０と、このケース１０の内側に取り付けたラチェット支えホルダ１３００に対して、昇降ギアホルダ１４００と、連結突片１４３０を介して、これに結合された手動操作用取っ手１８００とが、一体に上下方向に摺動移動し得る。ここで、連結突片１４３０の上下移動時に、ケース１０とラチェット支えホルダ１３００が干渉しないように、ケース１０及びラチェット支えホルダ１３００のそれぞれに、連結突片１４３０が貫通するスロット１２，１３３０が、上下方向に延びるように形成されている。
【００６２】
一方、昇降ギアホルダ１４００の前方側には、針チャネル係止部１９００が取り付けられる。針チャネル係止部１９００は、プッシュバー１５３０によってプッシュされて下降した１つの針チャネル１２００を係止することで、この針チャネル１２００が、昇降ギアホルダ１４００の上下の動きに追従して共に動くようにする装置である。
【００６３】
図１２〜図１４を参照すれば、針チャネル係止部１９００は、ラッチ１９１０、ラッチ１９１０を収容するラッチ収容部１９２０、及び、ラッチ１９１０とラッチ収容部１９２０との間に介在された弾性部材１９３０から構成される。
【００６４】
昇降ギアホルダ１４００の前方側に、針チャネル係止部１９００を取り付けるための連結突片１４２０が形成されている。昇降ギアホルダ１４００の上下移動時に、ケース１０とラチェット支えホルダ１３００が連結突片１４２０に干渉しないように、ケース１０とラチェット支えホルダ１３００のそれぞれに、連結突片１４２０が貫通するスロット１１，１３２０が上下方向に延びるように形成されている（図１２）。
【００６５】
ラッチ収容部１９２０は、例えば、ボルト締結などの結合方式により、この連結突片１４２０に結合されて固定されうる。ラッチ収容部１９２０は、内部にラッチ１９１０が入ることができる空間を有し、この空間に、ばねといった弾性部材１９３０が介在されている。
【００６６】
ラッチ１９１０は、六面体状、特には直方体状の部材として針チャネル１２００の係止凹部１２１９と噛み合っている。針チャネル係止部１９００を左側及び上側からそれぞれ観測した図１３（ａ）及び図１４に示すように、ラッチ１９１０の側から係止凹部１２１９を見たとき、針チャネル１２００の係止凹部１２１９の右側の段差部１２１９ｃ及び下方の段差部１２１９ｂは、ボディ部１２１０の表面（放射方向外側の面）に対して、直角に形成されており、左側の段差部１２１９ｄ及び上側の段差部１２１９ａは、面取り処理されて傾斜面になっている。また、係止凹部１２１９の各段差部に対応して、接触するラッチ１９１０の突出端部（先端部）における４つの稜部のそれぞれにも、直角に形成されたり、面取り処理されて傾斜面として形成されたりしている。すなわち、ラッチ収容部１９２０の側から見たとき、ラッチ１９１０の先端部における４つの稜部のうち、右側及び下方の稜部は直角に形成され、左側及び上側の稜部は、面取り処理されて傾斜面になっている。ここで、代案的な実施形態において、係止稜１２１９の右側の段差部１２１９ｃ、及び、これに対応するラッチ１９１０の右側の稜部は、直角に形成されてもよく、傾斜面に形成されてもよい。
【００６７】
ラッチ１９１０が係止凹部１２１９に挿入されている係止状態において、針チャネル１２００は、昇降ギアホルダ１４００の上下の動きに追従して共に動く。しかし、この係止状態で、針チャネルバンドルが図１４に示すように、反時計回りに回転すれば、ラッチ１９１０がラッチ収容部１９２０側に後退することで係止解除され、針チャネルバンドルが一チャネル分だけ回転したとき、ラッチ１９１０が、更なる針チャネル１２００を係止するようになる。
【００６８】
したがって、本発明に係る針チャネル係止部１９００によれば、針チャネルバンドルが毎回１チャネルずつ回転するたびに、１つの針チャネルに対する係止及び係止解除動作を自動で行い、また、ラッチ１９１０に掛け止めされた針チャネルを、昇降ギアホルダ１４００の上下の動きに追従して共に動かすことができ、また、ユーザが、頭皮に針を挿入するために取っ手を用いて下方に押すとき、針がノズルの中に後退することを防止できる。
【００６９】
図１５を参照して、チャネル回転手段による針チャネルの回転動作について説明する。図１５には、説明の便宜のために、ラチェット支えホルダ１３００と昇降ギアホルダ１４００の一部、及び、互いに隣接する２つの針チャネル１２００のラチェットギア歯１２１２の部分だけを図式的に示した。
【００７０】
図１５（ａ）において、昇降ギアホルダ１４００にユーザによる外力が作用しないとき、昇降ギアホルダ１４００は、ばね１８３０によってラチェット支えホルダ１３００よりも下方に位置し、針チャネルバンドル（Ｂ）のラチェットギア歯１２１２は、ばね１５２０によってラチェット支えホルダ１３００のラチェットギア凹部１３１０に、それぞれ配置されて支持されている。ただし、ここで、プッシュバー１５３０により下方にプッシュされた１つの針チャネル１２００は、針チャネル係止部１９００に係止されて下方に下降した状態であるが、図１５には、その図示を省略した。
【００７１】
一方、昇降ギアホルダ１４００のくさび型突出部１４１０のそれぞれの最上端部１４１０ｂは、周方向にて、ラチェットギア凹部１３１０の最上端の端部１３１０ｃと、端部１３１０ｃとの間に位置している。
【００７２】
ユーザが手動操作用取っ手１８００を握って上方に上げれば、昇降ギアホルダ１４００も取っ手１８００と共に上昇する。昇降ギアホルダ１４００が次第に上昇するにつれて、図１５（ｂ）及び図１５（ｃ）に示すように、昇降ギアホルダ１４００のくさび型突出部１４１０の傾斜面１４１０ａが、針チャネル１２００のラチェットギア歯１２１２と接しながら針チャネルバンドルを全体的に上方に上昇させる。ここで、針チャネルバンドルは、ばね１５２０の弾性力によって、くさび型突出部１４１０の傾斜面１４１０ａに沿って摺動下降しながら回転しようとするが、ラチェットギア歯１２１２が、くさび型突出部１４１０の傾斜面１４１０ａと、ラチェットギア凹部１３１０の垂直面１３１０ｂとに接して支持されていることから、針チャネルバンドルが回転されず、昇降ギアホルダ１４００によって上昇される。
【００７３】
しかし、くさび型突出部１４１０が、ラチェットギア凹部１３１０よりも高くなるまでに昇降ギアホルダ１４００が上昇すれば（図１５（ｃ））、ラチェットギア凹部１３１０の垂直面１３１０ｂによる支持がなくなるため、ラチェットギア歯１２１２が、くさび型突出部１４１０の傾斜面１４１０ａに沿って摺動下降することで、針チャネルバンドルが所定の角度回転する（図１５（ｄ））。
【００７４】
その後、ユーザが、取っ手１８００を上方に引き上げていた力を取り除くと、取っ手１８００が、ばね１８３０によって下方に下降し、昇降ギアホルダ１４００も共に下降することで、針チャネル１２００のラチェットギア歯１２１２が、ラチェットギア凹部１３１０の傾斜面１３１０ａに接する（図１５（ｅ））。昇降ギアホルダ１４００のくさび型突出部１４１０が、ラチェット支えホルダ１３００のラチェッギア凹部１３１０の下方に下降すれば、ラチェットギア歯１２１２は、ラチェットギア凹部１３１０の傾斜面１３１０ａに沿って摺動下降し、針チャネルバンドルが、再び所定の角度回転することになる（図１５（ｆ））。したがって、図１５（ａ）及び図１５（ｆ）を比較すれば、針チャネルバンドルが一チャネルだけ回転したことが分かる。
【００７５】
このように本発明の一実施形態に係るチャネル回転手段によると、昇降ギアホルダ１４００を一回ずつ上昇及び下降させるたびに、針チャネルバンドルを一チャネルずつ回転させることができ、毎回、異なる針チャネルの針１２２０を、ノズル２１に吐出させることができるため、ユーザが、手動操作用取っ手１８００を一回ずつ上昇／下降するたびに、針１２２０を１つずつ変えながら、連続的な毛髪移植作業を行うことができる。
【００７６】
図１６〜図１８を参照して、昇降ギアホルダ１４００を上下方向に動くための手動操作用取っ手１８００について説明する。図１６は、手動操作用取っ手１８００と下部キャップ２０との結合構造を示す分解斜視図であり、図１７及び図１８は、それぞれ、手動操作用の取っ手が装着された毛髪移植機の一部を互いに異なる方向から観測した断面図である。
【００７７】
図面を参照すると、手動操作用取っ手１８００は、ケース１０の外周面を少なくとも部分的に取り囲む形状を有する。取っ手１８００の側面には、指が滑らないように一定の深さだけ陰刻処理された、取っ手凹部１８１０が形成されてもよい。
【００７８】
取っ手１８００は、ばね１８３０を上下方向に収容するばね収容部１８２０を後方側に含む。ばね１８３０は、ばね１８３０を少なくとも部分的に取り囲む、ばね下部結合部材１８４０内に挿入された状態で、ばね収容部１８２０に収容されてもよい。ばね１８３０の上端部は、ばね収容部１８２０の上部に固定され、下端部は、ばね下部結合部材１８４０に固定される。そして、ばね下部結合部材１８４０は、下部キャップ２０又はケース１０に結合されている。
【００７９】
このような構成により、ユーザが手動操作用取っ手１８００を握って上昇させれば、ばね１８３０が延長されて弾性力が作用するため、外力のないとき、ばね１８３０によって手動操作用取っ手１８００が下降して元の位置に復元することができる。
【００８０】
＜第２実施形態の毛髪移植機＞
以下、図１９〜図２８を参照して第２実施形態に係る毛髪移植機を説明する。
【００８１】
図１９は、本発明の第２実施形態に係る毛髪移植機の斜視図であり、図２０は、毛髪移植機の断面図である。そして、図２１は分解斜視図である。
【００８２】
図１９〜図２１を参照すると、第２実施形態に係る毛髪移植機は、下部モジュールＭ１と、上部モジュールＭ２とからなる。下部モジュールＭ１は、下部ケース４０と、その下方に結合された下部キャップ５０でもってケーシングされ、上部モジュールＭ２は、上部ケース６０、その上部に結合された上部キャップ７０、及び、その下部に結合されたブラケット２６００でもってケーシングされる。
【００８３】
植毛の作業時に、使用済みの下部モジュールＭ１を新しい下部モジュールＭ１に交換できるように、下部モジュールＭ１と上部モジュールＭ２とが分離自在に結合されることが好ましい。図示する一実施形態において、上部モジュールＭ２のブラケット２６００に、レバーの形態のモジュール結合部２６５０が設けられ、ユーザがレバーを押してモジュールＭ１、Ｍ２を分離し得る。
【００８４】
下部モジュールＭ１の下部ケース４０の内部には、毛根（毛嚢）の移植に用いられる針チャネル２２００がバンドル状に複数結合された、針チャネルバンドル（Ｂ）が回転自在に配置される。針チャネルバンドル（Ｂ）は、円筒状の中央シャフト２１００及びその外周面に、放射状に等間隔に配列された、複数の針チャネル２２００から構成される。
【００８５】
針チャネルバンドルの上部には、針チャネルバンドルを一チャネルだけ所定の角度回転させるチャネル回転手段が配置される。図示する実施形態において、チャネル回転手段は、針チャネルバンドルの中央シャフト２１００を回転させる第１駆動モータ２３００を含んでもよい。第１駆動モータ２３００の駆動軸が、多角形位置決定ピン２３２０によって、中央シャフト２１００の中心軸に取り付けられ、したがって、第１駆動モータ２３００の駆動により、針チャネルバンドル（Ｂ）が回転し得る。
【００８６】
第１駆動モータ２３００は、例えば、ステップモータなどで具現され、針チャネルバンドル（Ｂ）を所定の角度ずつ回転させることができる。一実施形態において、針チャネルバンドル（Ｂ）は、第１駆動モータ２３００によって、１回に、１つの針チャネル２２００の間隔に該当する角度だけ回転し得る。例えば、図示する実施形態において、中央シャフト２１００の外周面に１８個の針チャネル２２００が取り付けられ、この場合、第１駆動モータ２３００は、一回の駆動によって、針チャネルバンドル（Ｂ）を２０度ずつ回転させるように構成される。
【００８７】
一実施形態において、針チャネルバンドル（Ｂ）が一回に所定の角度だけ回転できるように、針チャネルバンドル（Ｂ）の上部面に、ボールプランジャー（ｂａｌｌ  ｐｌｕｎｇｅｒ）（図２５に示す２４５０）が接して配置されてもよい。ボールプランジャー２４５０は、針チャネルバンドル（Ｂ）の上部に配置された、ボールプランジャー支持部２４００に結合して支持される。ボールプランジャー２４５０の具体的な構成について、図２５及び図２６を参照して後述することにする。
【００８８】
下部ケース４０の側面には心軸係止部２７００が配置される。心軸係止部２７００は、針チャネル２２００の内部に摺動自在に配置された、心軸（図２３に示す２２３０）を係止して、心軸が一時的に動かないようにする機能を有する。心軸係止部２７００の具体的な構成について、図２７及び図２８を参照して後述することにする。
【００８９】
下部ケース４０の下端部には、下部キャップ５０が、脱着自在に結合されて、下部ケース４０の下端部をカバーする。下部キャップ５０の下部面には、１つの針チャネル２２００が通過できるノズル５１が形成され、１つの針チャネル２２００が、ノズル５１を通して所定の長さだけ、下方に突出しうる。
【００９０】
上部モジュールＭ２は、上部ケース６０と、この上部ケース６０の上端部と下端部にそれぞれ取り付けられた、上部キャップ７０とブラケット２６００とによって、ケーシングされる。
【００９１】
上部モジュールＭ２は、１つの針チャネルを下方にプッシュし、この針チャネルがノズル５１を通して突出するようにするプッシュ駆動部２５００を有する。一実施形態において、プッシュ駆動部２５００は、第２駆動モータ２５１０、ギアボックス２５２０、リードスクリュー２５３０、摺動ブロック２５４０、及びプッシュバー２５５０から構成される。
【００９２】
第２駆動モータ２５１０は、双方向に回転する駆動軸を有する任意のモータで実現される。第２駆動モータ２５１０の駆動軸がギアボックス２５２０に結合され、ギアボックス２５２０の出力端の回転軸がカップリング２５２５を介してリードスクリュー２５３０に結合される。リードスクリュー２５３０の外周面には、ねじ山が形成されている。摺動ブロック２５４０は、リードスクリュー２５３０に結合するが、リードスクリュー２５３０の回転によって上下に動くように結合される。プッシュバー２５５０は、棒状の部材であって、プッシュバー２５５０の上端部が摺動ブロック２５４０に結合して固定されることで、下方に伸びるように配置される。
【００９３】
図面から確認されるように、プッシュバー２５５０とノズル５１は、同じ垂直線上に整列している。そのため、第２駆動モータ２５１０の駆動により、プッシュバー２５５０が下降し、この垂直線上に位置している１つの針チャネル２２００を、プッシュバー２５５０が下方にプッシュし、プッシュされた針チャネル２２００は、ノズル５１を通して所定の長さだけ突出される。
【００９４】
一方、一実施形態に係る毛髪移植機は、ケース４０，６０内に２つの駆動モータ２３００，２５１０のみを備えればよいため、３つのモータを使用した従来の毛髪移植機に比べてケース内の余裕空間が増加する。したがって、従来に比べて高い性能のモータを第２駆動モータ２５１０として使用できるため、リードスクリュー２５３０のねじ山の間の距離（ピッチ）が従来に比べて、より増加させうる。例えば、従来のリードスクリューのねじ山のピッチがほぼ１ｍｍであることに比べ、本発明の一実施形態によれば、リードスクリュー２５３０のねじ山のピッチ距離は２４ｍｍに設計しうる。
【００９５】
このように、リードスクリュー２５３０のピッチ距離のみを比較すれば、従来に比べて２４倍さらに長いため、カップリング２５２５やギアボックス２５２０などの設計の差を考慮しても、リードスクリュー２５３０が１回転する際に進む摺動ブロック２５４０の進行距離が、従来に比べて、ほぼ１０倍ほど大きい。したがって、プッシュバー２５５０も、従来に比べて１０倍ほど早い摺動速度を有することから、結果的に、毛髪移植の全体的な施術時間を短縮し、施術に必要な施術者の力を減らす技術的な効果を有する。すなわち、実際の施術過程で１つ１つの針チャネル２２００が頭皮に挿入されるたびに、毛髪移植機が揺れないように施術者が力を入れて固定させなければならないが、例えば、従来の毛髪移植機を使用する場合、１つの針チャネルを頭皮に挿入して取り外す動作に１秒かかったとすれば、本発明の毛髪移植機を使用すれば０．１秒でこの動作が完了するため、全体の施術時間が短縮されるだけではなく、施術者が力を入れる時間もそれだけ減少することから、作業の疲労度を減らし得る。
【００９６】
一方、プッシュ駆動部２５００に電源を印加して動作を制御するための電源線及び制御線が、外部から上部モジュールＭ２に接続されうるのであり、そのための配線連結部６５が、上部モジュールＭ２に形成され得る。また、図示していないが、針チャネルバンドル（Ｂ）の回転駆動のための電源線及び／又は制御線が、外部から下部モジュールＭ１に接続されうるのであり、そのための配線連結部（図示せず）が下部モジュールＭ１に形成され得る。また、上部キャップ７０のバランスアーム連結部７５に、ブレーキ装置のあるバランスアームを接続することで、反発力の制御及び重さの補償を補助して使用できる。
【００９７】
図２２は、一実施形態に係る針チャネルバンドル（Ｂ）を説明するための図である。図面を参照すると、針チャネルバンドル（Ｂ）は、中央シャフト２１００、及び、この中央シャフト２１００の外周面に、上下方向に摺動自在にそれぞれ結合された複数の針チャネル２２００から構成される。
【００９８】
中央シャフト２１００の外周面には、中央シャフトの中心軸を基準にして放射状に、かつ等間隔に、複数の摺動レール２１１０が形成されている。一実施形態において、摺動レール２１１０は、上下の長手方向に長く延びるように陰刻されて形成されている。
【００９９】
中央シャフト２１００の上端部には、中央シャフト２１００の直径よりも大きい直径のフランジ２１２０が形成される。フランジ２１２０は、中央シャフト２１００と一体に形成されてもよく、別個に製造された後、フランジ２１２０が中央シャフト２１００の上端部に取り付けられてもよい。このように直径の大きいフランジ２１２０が、中央シャフト２１００の上端部に位置しているため、針チャネル２２００が、上方にこれ以上上昇できず、したがって、フランジ２１２０は、針チャネル２２００の上方向の摺動運動範囲を制限する、ストッパとしての役割を果たすことができる。
【０１００】
図２３及び図２４は、一実施形態に係る針チャネル２２００を示す図であり、図２３（ａ）は針チャネル２２００の斜視図であり、（ｂ）は断面図であり、図２４は、針チャネル２２００の分解斜視図である。
【０１０１】
図面を参照すると、針チャネル２２００は、管状の内部空間を有するボディ部２２１０、このボディ部２２１０の下部に結合された針２２２０、及び、前記管状の内部空間に摺動自在に配置される心軸２２３０から構成される。
【０１０２】
ボディ部２２１０は、断面積が互いに異なる、上部ボディ２２１１と下部ボディ２２１２とから構成される。図示する実施形態において、下部ボディ２２１２が上部ボディ２２１１よりも小さい断面積を有し、したがって、上部ボディ２２１１と下部ボディ２２１２との連結部位に段差が形成される。
【０１０３】
上部ボディ２２１１と下部ボディ２２１２は、それぞれ別途に製造されて結合されてもよく、上部ボディ２２１１と下部ボディ２２１２が一体に製造されてもよい。下部ボディ２２１２は内部に管状の空間があり、この空間の下端部が開放されている。下部ボディ２２１２の、この開放された下端部を通じて、毛根移植用針２２２０が挿入結合され、この内部空間に、心軸２２３０が摺動自在に配置される。
【０１０４】
上部ボディ２２１１は、一側面に沿って上下の長手方向に形成された側面突出部２２１３を含む。側面突出部２２１３は、中央シャフト２１００に向かう方向、すなわち、放射状の内側方向に突出され、側面突出部２２１３の突出部の形状は、中央シャフト２１００の摺動レール２１１０における凹溝部の形状と噛み合うように構成される。したがって、上部ボディ２２１１の側面突出部２２１３が、中央シャフト２１００の摺動レール２１１０に嵌め込まれて噛み合うことにより、針チャネル２２００が、摺動レール２１１０に沿って上下方向に摺動し得る。
【０１０５】
このように、中央シャフト２１００の外周面の全周にわたって、針チャネル２２００が、放射状に、均等に区画配置されるようにして、中央シャフト２１００に結合される構成は、図８などを参照して説明した第１実施形態と同一又は類似していることが理解され得る。
【０１０６】
針チャネル２２００は、ボディ部２２１０に嵌め合わされる第１ばね２２４１を含む。図示する実施形態において、第１ばね２２４１は、下部ボディ２２１２の周りに嵌め合わされ、そのため、第１ばね２２４１の上端部は、針チャネルの上部ボディ２２１１と下部ボディ２２１２との間の段差部に支持される。
【０１０７】
図２２に示すように、針チャネルバンドル（Ｂ）は、この針チャネルバンドル（Ｂ）に結合された複数の針チャネル２２００におけるそれぞれの下部ボディが１つずつ貫通できる、複数の貫通口２１３１を備えた針チャネル支持板２１３０を含む。
【０１０８】
針チャネル支持板２１３０は、所定の厚さの円板状であり、各貫通口２１３１に針チャネル２２００の下部ボディ２２１２を通過させることで、下部ボディ２２１２に嵌め合わされる。各貫通口２１３１の直径は、下部ボディ２２１２の直径よりも大きく、第１ばね２２４１の直径よりも小さい。したがって、第１ばね２２４１の下端部は、針チャネル支持板２１３０の上部面によって支持され得る。
【０１０９】
針チャネル支持板２１３０は、下部ケース４０内の側壁に固定されて取り付けられた、リング状の支持部材（図２１に示す４２）の上部に回転自在に支持され、中央シャフト２１００と結合又は分離されうる。したがって、針チャネル支持板２１３０が、第１ばね２２４１を介して弾性的に針チャネルバンドル（Ｂ）を支持でき、第１駆動モータ２３００によって、針チャネルバンドル（Ｂ）と針チャネル支持板２１３０が一体に回転し得る。
【０１１０】
一方、図示する実施形態において、ボディ部２２１０が直径の異なる上部ボディ２２１１と下部ボディ２２１２から構成されているが、代案的な実施形態において、下部ボディ２２１２が省略されてもよい。この代案的な実施形態において、針２２２０が上部ボディ２２１１に結合して、針２２２０の周りに第１ばね２２４１が嵌め合わされる。この場合、第１ばね２２４１の上端部は上部ボディ２２１１の下端部に支持され、下端部は針チャネル支持板２１３０の上部面によって支持され得る。
【０１１１】
第２駆動モータ２５１０によって、プッシュバー２５５０が１つの針チャネル２２００を下方にプッシュすれば、針チャネル２２００が下方にプッシュされることで第１ばね２２４１が加圧されるのであり、プッシュバー２５５０が上方に上昇すれば、この加圧された第１ばね２２４１の弾性力によって、針チャネル２２００が上方に上昇する。
【０１１２】
図２３及び図２４に示すように、針チャネル２２００の上部ボディ２２１１における放射状の外側の方向を向いた側面には、上下の、長手方向のスロット２２１５が形成される。すなわち、上部ボディ２２１１における側面突出部２２１３とスロット２２１５は、互いに向かい合う側面（互いに逆側）に形成されている。スロット２２１５の上部は、上部ボディ２２１１の上端部に結合される、上部蓋２２１４により塞がれており、スロット２２１５の下部は、下部ボディ２２１２の管状の内部空間と連通している。
【０１１３】
スロット２２１５の内側には、スロット２２１５に沿って上下方向に摺動自在なレバー２２３１が配置され、レバー２２３１の一側面はスロット２２１５よりも外側に（すなわち、放射状の外側の方向に）突出されている。心軸２２３０の上端部がレバー２２３１に結合され、したがって、レバー２２３１と心軸２２３０が、一体に、上下方向に摺動移動し得る。
【０１１４】
スロット２２１５の領域内で心軸２２３０の周りに第２ばね２２４３が嵌め合わされている。第２ばね２２４３の上端部はレバー２２３１の下部面によって支持され、第２ばね２２４３の下端部はスロット２２１５の底面によって支持される。したがって、レバー２２３１に力が加えられてレバー２２３１と心軸２２３０が下降すれば、第２ばね２２４３が加圧され、レバー２２３１に加えられる力がなくなると、第２ばね２２４３の弾性力によって心軸２２３０が上昇される。
【０１１５】
図２５は、毛髪移植機の一部の構成要素の分解斜視図であり、図２５を参照すれば、ブラケット２６００は、内部空間のある、概略シリンダーの形状を有するが、ブラケット２６００の上部は、上部ケース６０の下端部に結合固定されて上部モジュールＭ２の一部をなしている。
【０１１６】
ブラケット２６００の上部面にはプッシュバー２５５０が貫通できる貫通口２６１０が形成され、ブラケット２６００の一側面には、プッシュバー２５５０をガイドするようにガイド溝２６２０が形成されている。
【０１１７】
ブラケット２６００の左右の両側面には、下部モジュールＭ１との結合のためのモジュール結合部２６５０が１つずつ設けられている。下部モジュールＭ１と上部モジュールＭ２とを結合するために、公知の任意の締結方式が使用されうるのであり、図示する実施形態の場合、モジュール結合部２６５０は、ヒンジ結合部２６５１、ヒンジ結合部２６５１から上下にそれぞれ延長した、上部レバー２６５２と下部レバー２６５３、及び、下部レバー２６５３の下端部から延長形成されて、内側に曲がった係合突起２６５４から構成される。
【０１１８】
ヒンジ結合部２６５１は、ブラケット２６００の側面のヒンジベース２６３０にボルト２６３５などの締結手段によってヒンジ結合され、上部レバー２６５２及び／又は下部レバー２６５３が弾性部材２６４０によってブラケット２６００に連結されている。係合突起２６５４は、例えば、下部ケース４０の係合穴（図２１に示す、周方向に延びる凹部または貫通孔４３）に挟まれてもよい。したがって、外部から力が加えられないとき、係合突起２６５４が係合穴４３に嵌め込まれて下部モジュールＭ１と上部モジュールＭ２とが結合され、ユーザは上部レバー２６５２を押して力を加圧すれば、係合突起２６５４が係合穴４３から外されることで、下部モジュールＭ１と上部モジュールＭ２とが分離される。
【０１１９】
一方、ブラケット２６００の下部には、ボールプランジャー支持部２４００が結合されてもよい。ボールプランジャー支持部２４００は、所定の厚さを有するリング状であってもよく、中間の貫通領域を介して第１駆動モータ２３００が貫通して配置されてもよい。プッシュバー２５５０の動きを妨害しないため、ボールプランジャー支持部２４００の一側面が削られており、プッシュバー２５５０をガイドするガイド部２４１０及びガイドローラ２４２０が備えられる。
【０１２０】
図２５及び図２６を参照すると、ボールプランジャー支持部２４００は、下方に向かって突出したボール２４５１を備える、少なくとも１つのボールプランジャー２４５０を含む。ボールプランジャー２４５０は、下方に向かって一部が露出されたボール２４５１、及び、このボールを弾性的に支持してボールプランジャー２４５０の内部空間に位置する弾性部材２４５２から構成される。図面には２つのボールプランジャー２４５０を示しているが、ボールプランジャー２４５０の個数や設置位置は制限されることはない。
【０１２１】
一方、一実施形態において、中央シャフト２１００の上部表面、すなわち、フランジ２１２０の上部表面が凹凸形状２１２１を有する。すなわち、フランジ２１２０の上部表面に凹溝部と突出部が交互に形成され、針チャネル２２００の垂直上方向の位置ごとに、凹溝部が形成されている。
【０１２２】
ボールプランジャー２４５０のボール２４５１がフランジ２１２０の凹凸形状と接してボール２４５１が弾性的に前記凹凸表面を加圧するよう、ボールプランジャー支持部２４００が配置される。したがって、弾性部材２４５２の弾性力によって、ボール２４５１がフランジ２１２０の凹溝部に載置しようとする側に作用するため、針チャネルバンドル（Ｂ）が所定の角度ずつ一定に回転することを保証できる。
【０１２３】
心軸係止部２７００は、図１９ないし図２１に示すように、下部ケース４０の一側面に設けられている。心軸係止部２７００は、針チャネル２２００がプッシュバー２５５０によって下方にプッシュされた後、再び上昇する間に、針チャネル２２００内の心軸２２３０の上昇動作を一時的に停止させる機能を果たす。
【０１２４】
図２７及び図２８を参照すると、一実施形態に係る心軸係止部２７００は、ラッチ２７１０、ラッチ２７１０を収容するラッチ収容部２７２０、及び、ラッチ２７１０とラッチ収容部２７２０との間に介在された弾性部材２７３０から構成される。
【０１２５】
ラッチ収容部２７２０は、例えば、左右両側面の延長領域２７２１のボルト孔を介して下部ケース４０の一側面にボルト結合して固定される。ラッチ収容部２７２０は、内部にラッチ２７１０が入る空間を有し、この空間に、ばねといった弾性部材２７３０が介在されている。そのため、ラッチ２７１０は、レバー２２３１の上下の動きを干渉する距離内に配置され、針チャネルバンドル（Ｂ）の放射状の外側方向に、弾性的に後退できるよう構成される。
【０１２６】
このような第２実施形態に係る心軸係止部２７００は、図１０を参照して説明した第１実施形態の心軸係止部１７００と同一又は類似の構成を有し、また、図１１を参照して説明したものと同一又は類似の方式によって、心軸２２３０の係止及び係止解除動作を行うため、その具体的な説明は省略することにする。
【０１２７】
図２９は、代案的な実施形態に係るプッシュバー及び針チャネルを示す。
【０１２８】
代案的な実施形態において、針チャネル２２００の上端部に第１係止部２２５０が形成されている。第１係止部２２５０は、ボディ部２２１０と一体に形成されてもよく、上部蓋２２１４と一体に形成されてもよい。また、プッシュバー２５５０の下端部には、第１係止部２２５０に噛み合って係止する第２係止部２５５１が形成されている。
【０１２９】
第１係止部２２５０と第２係止部２５５１は、上下方向にのみ係止できるよう構成される。例えば、図示するように、第１係止部２２５０と第２係止部２５５１のそれぞれに上下方向に凹凸構造が形成され、第１係止部及び第２係止部２２５０，２５５１の凹凸構造が互いに噛み合うことにより、２つの係止部が掛け止めされることになる。したがって、針チャネルバンドルは、プッシュバー２５５０の第２係止部２２５１に干渉されずに回転することができる。
【０１３０】
前記構成によれば、針チャネルバンドルの回転によって１つの針チャネル２２００がプッシュバー２５５０と同じ垂直線上に位置すれば、針チャネル２２００の第１係止部２２５０とプッシュバー２５５０の第２係止部２５５１が互いに係止し、針チャネル２２００がプッシュバー２５５０と一体に上下方向に動くことができる。したがって、この代案的な実施形態によれば、針チャネル２２００の昇降動作がプッシュバー２５５０によって行われるため、針チャネル２２００の上昇のためのばね（図２４に示す２２４１）を必要としないことから、装置構造をさらに単純化することができる。
【０１３１】
上述したように、本発明が属する分野で通常の知識を有する者であれば、上述した明細書の記載から様々な修正及び変形が可能である。したがって、本発明の範囲は、説明された実施形態に限定されて決定されることなく、特許請求の範囲及び特許請求の範囲と均等なものなどによって定められるものである。
【符号の説明】
【０１３２】
１０：ケース
２０：下部キャップ
２１：ノズル
３０：上部キャップ
７５：バランスアーム連結部
１１００：中央シャフト
１１１０：摺動レール
１２００：針チャネル
１２１０：ボディ部
１２１１：係止突出部
１２１２：ラチェットギア歯
１２１３：側面突出部
１２１５：スロット
１２１７：突起部
１２１９：係止凹部
１２２０：針
１２２１：スロットホール
１２３０：心軸
１２３１：レバー
１２４１：ばね
１２５０：上部蓋
１２５３：傾斜角
１３００：ラチェット支えホルダ
１３１０：ラチェットギア凹部
１３２０、１３３０：スロット
１４００：昇降ギアホルダ
１４１０：くさび型突出部
１４２０、１４３０：連結突片
１５１０：ヘッド部材
１５２０、１５４０：ばね
１５３０：プッシュバー
１７００：心軸係止部
１７１０：ラッチ
１７２０：ラッチ収容部
１７３０：弾性部材
１７１１：レバー接触面
１７１３：突起部接触面
１９００：針チャネル係止部
１９１０：ラッチ
１９２０：ラッチ収容部
１９３０：弾性部材
１８００：手動操作用取っ手
１８１０：取っ手凹部
１８２０：ばね収容部
１８３０：ばね
１８４０：ばね下部結合部材
４０：下部ケース
５０：下部キャップ
６０：上部ケース
７０：上部キャップ
２１００：中央シャフト
２１１０：摺動レール
２１２０：フランジ
２１２１：凹凸形状
２１３０：針チャネル支持板
２２００：針チャネル
２２１０：ボディ部
２２１３：側面突出部
２２１４：上部蓋
２２１５：スロット
２２１７：突起部
２２２０：針
２２３０：心軸
２２３１：レバー
２２４１、２２４３：ばね
２２５０：第１係止部
２３００：駆動モータ
２３２０：多角形位置決定ピン
２４００：ボールプランジャー支持部
２４１０：ガイド部
２４２０：ガイドローラ
２４５０：ボールプランジャー
２４５１：ボール
２４５２：弾性部材
２５００：プッシュ駆動部
２５１０：駆動モータ
２５２０：ギアボックス
２５２５：カップリング
２５３０：リードスクリュー
２５４０：摺動ブロック
２５５０：プッシュバー
２５５１：第２係止部
２６００：ブラケット
２６１０：貫通口
２６５０：モジュール結合部
２７００：心軸係止部
２７１０：ラッチ
２７２０：ラッチ収容部
２７３０：弾性部材
２９００：針チャネル係止部
２９１０：ラッチ
２９２０：ラッチ収容部
２９３０：弾性部材
【図１】
2019126715.tif 000003
【図２】
2019126715.tif 000004
【図３】
2019126715.tif 000005
【図４】
2019126715.tif 000006
【図５】
2019126715.tif 000007
【図６】
2019126715.tif 000008
【図７】
2019126715.tif 000009
【図８】
2019126715.tif 000010
【図９】
2019126715.tif 000011
【図１０】
2019126715.tif 000012
【図１１】
2019126715.tif 000013
【図１２】
2019126715.tif 000014
【図１３】
2019126715.tif 000015
【図１４】
2019126715.tif 000016
【図１５】
2019126715.tif 000017
【図１６】
2019126715.tif 000018
【図１７】
2019126715.tif 000019
【図１８】
2019126715.tif 000020
【図１９】
2019126715.tif 000021
【図２０】
2019126715.tif 000022
【図２１】
2019126715.tif 000023
【図２２】
2019126715.tif 000024
【図２３】
2019126715.tif 000025
【図２４】
2019126715.tif 000026
【図２５】
2019126715.tif 000027
【図２６】
2019126715.tif 000028
【図２７】
2019126715.tif 000029
【図２８】
2019126715.tif 000030
【図２９】
2019126715.tif 000031